(57)【要約】【課題】  足を取り囲む軟質アッパー１を有するシューズにおいて、歩行サイクルを損なわないために必要な足の動作の自由度を制限せずに、足に容易に快適かつ迅速に固定する。【解決手段】  軟質アッパー１の甲区域上に配置された閉鎖パネル１０、およびシューズの踵部分に配置されたレバー機構５０を備える。レバー機構５０は、シューズを足に固定するためにレバー機構５０を作動させるときに、閉鎖パネル１０が軟質アッパー１の甲区域に対して外側から引き寄せられるように閉鎖パネル１０に接続されている。レバー機構５０はレバーを備え、上方に回動すると、ケーブル４０を介して閉鎖パネル１０の外後方および内後方に延在する側方領域１２を後方に引っ張り、閉鎖パネル１０を甲区域に引き寄せて、シューズを足にしっかりと固定する。【選択図】      図１
2008055196.tif 000002
【特許請求の範囲】
【請求項１】
足を取り囲む軟質アッパーを有するシューズにおいて、
前記軟質アッパーの甲区域上に配置された閉鎖パネルと、
前記シューズの踵部分に配置された締付け部材であって、前記シューズを足に固定するために該締付け部材を作動させると、前記閉鎖パネルが前記軟質アッパーの甲区域に対して外側から引き寄せられるように該閉鎖パネルに接続されている締付け部材と、
を備えてなり、
前記閉鎖パネルに引張動作を伝達するために、前記締付け部材から前記閉鎖パネルまで延在し、該閉鎖パネルに前端が取り付けられる少なくとも１本の外装ケーブルからなる引張部材により、前記締付け部材が前記閉鎖パネルに接続されており、
前記少なくとも１本のケーブルが、前記シューズの踵部分において該シューズのミッドソールの下に延在し、かつ、該閉鎖パネルの異なる位置に取り付けることができることを特徴とするシューズ。
【請求項２】
前記閉鎖パネルが前記軟質アッパーの甲区域を三次元的に取り囲んでいることを特徴とする請求項１記載のシューズ。
【請求項３】
前記閉鎖パネルが、該閉鎖パネルを前記締付け部材に接続するための、外後方および／または内後方に延在する側部領域を備えていることを特徴とする請求項２記載のシューズ。
【請求項４】
外側および／または内側の受入部材をさらに備え、前記軟質アッパーの甲区域に対して前記閉鎖パネルを引き寄せるように前記締付け部材を操作したときに、外後方および／または内後方に延在した前記閉鎖パネルの側部領域が前記受入部材中にスライドできることを特徴とする請求項３記載のシューズ。  
【請求項５】
前記受入部材が前記アッパーの後方部分を下から取り囲むことを特徴とする請求項４記載のシューズ。
【請求項６】
前記閉鎖パネルが、前記アッパーの足前方の下側部分および／または前記シューズのソールに取り付けられた、外前方および／または内前方に延在する側部領域を備えていることを特徴とする請求項２から５いずれか１項記載のシューズ。
【請求項７】
前記閉鎖パネルが通気用開口部を少なくとも１つ備えていることを特徴とする請求項１から６いずれか１項記載のシューズ。
【請求項８】
前記閉鎖パネルが、前記アッパーに向いた側に発泡層を備えていることを特徴とする請求項１から７いずれか１項記載のシューズ。
【請求項９】
前記少なくとも１本のケーブルが、前記シューズの両側において、前記締付け部材から前記閉鎖パネルまで延在することを特徴とする請求項１から８いずれか１項記載のシューズ。
【請求項１０】
前記締付け部材がレバー機構から構成されることを特徴とする請求項１から９いずれか１項記載のシューズ。
【請求項１１】
前記レバー機構が、引張部材が取り付けられた、締付けのために上方または下方に回動可能なレバーを備えていることを特徴とする請求項１０記載のシューズ。
【請求項１２】
前記引張部材が、前記レバーの回動により生じる該引張部材の引張の量を調節できる調節部材を介して該レバーに取り付けられていることを特徴とする請求項１１記載のシューズ。
【請求項１３】
前記調節部材が、
前記引張部材を受容するための前記レバーの凹部内で移動可能なスライド、および
前記レバーに取り付けられた調節用ネジ、
を備え、前記調節用ネジの操作により、前記スライドが前記レバーの内側で移動することを特徴とする請求項１２記載のシューズ。
【請求項１４】
前記調節用ネジが、前記レバーの位置に関係なく調節可能であるように該レバーに配置されていることを特徴とする請求項１３記載のシューズ。
【請求項１５】
前記調節用ネジを回転させるための操作用頭部が前記レバーの上端に配置されていることを特徴とする請求項１３または１４記載のシューズ。
【請求項１６】
前記レバーが、回動のための軸および前記引張部材の取付け手段を備え、
前記レバー機構が、前記軸を支持するための高さの異なる複数の軸受け部を持つ支持部材を備え、
前記軸を支持させる前記軸受け部の選択により、前記引張部材の引張の量が調節されることを特徴とする請求項１１記載のシューズ。
【請求項１７】
前記取付け手段が、前記引張部材を巻きつけるための軸であることを特徴とする請求項１６記載のシューズ。
【請求項１８】
前記支持部材が、前記軸を前記軸受け部にスナップ嵌めできるように可撓性部材から製造されていることを特徴とする請求項１６または１７記載のシューズ。
【請求項１９】
前記踵部分が、前記レバー機構を収容するための凹部を少なくとも１つ備えていることを特徴とする請求項１１から１８いずれか１項記載のシューズ。
【請求項２０】
前記レバーが、前記踵部分の前記凹部内に上方に回動された位置で係止されていることを特徴とする請求項１９記載のシューズ。
【請求項２１】
前記レバーおよび／または前記凹部が、前記レバーを前記シューズの前記凹部中に係止するための突起および／または凹部を備えていることを特徴とする請求項２０記載のシューズ。
【請求項２２】
前記レバーが前記踵部分に取外可能に取り付けられていることを特徴とする請求項１１から２１いずれか１項記載のシューズ。
【請求項２３】
足を取り囲む軟質アッパーを有するシューズにおいて、
前記軟質アッパーの甲区域上に配置された閉鎖パネルと、
前記シューズの踵部分に配置された締付け部材であって、前記シューズを足に固定するために該締付け部材を作動させると、前記閉鎖パネルが前記軟質アッパーの甲区域に対して外側から引き寄せられるように該閉鎖パネルに接続されている締付け部材と、
を備えてなり、
前記締付け部材が、前記閉鎖パネルに引張動作を伝達するために、前記締付け部材から前記閉鎖パネルまで延在する少なくとも１本の外装ケーブルからなる引張部材により前記閉鎖パネルに接続されており、前記少なくとも１本のケーブルが、前記シューズの踵部分において該シューズのミッドソールの下に延在することを特徴とするシューズ。  
【請求項２４】
前記引張部材は、一端が前記締付け部材に取り付けられ、他端が前記閉鎖パネルに取り付けられていることを特徴とする請求項２３記載のシューズ。
【請求項２５】
前記引張部材が、該閉鎖パネルに異なる位置で固定できることを特徴とする請求項２３または２４記載のシューズ。  
【発明の詳細な説明】
【技術分野】
【０００１】
本発明は、足を取り囲む軟質アッパーを備えたシューズ、特にスポーツシューズに関する。
【背景技術】
【０００２】
一般に、シューズを足にしっかりと固定するために、靴ひもが用いられている。靴ひもは、安く、交換が容易であり、怪我をさせる虞がないのでスポーツシューズにとって特に好ましい。しかしながら、靴ひもには、ひもを結ぶのが比較的複雑であり、したがって時間がかかるという大きな欠点がある。さらに、靴ひもを結ぶ度に、足にとってシューズがゆる過ぎたり、きつ過ぎたりしないか注意しなければならない。したがって、アスリートが、試合の短い休憩中、例えば、バスケットボールにおけるいわゆる「タイム・アウト」中、短時間だけシューズを脱いで足を完全にリラックスさせたいときに、普通の靴ひもではそうすることはできない。何故ならば、試合が再開したときに、靴ひもを結ぶのに時間がかかり過ぎるからである。
【０００３】
それゆえ、例えば、ベルクロ（Ｖｅｌｃｒｏ：登録商標）およびマジックテープ（登録商標）等の名称で市販されている面ファスナーおよび足の甲上に亘って存在する全ての種類のバックル等のような靴ひもに代わる別の手段がいくつか従来技術より知られている。しかしながら、シューズを足に速くともしっかりと固定させるという目的は達成されていない。面ファスナーによる接続は、簡単かつ迅速に操作できるが、短時間で摩滅してしまい、ゆる過ぎもせずきつ過ぎもしないようにシューズを締め付け、安定した接続のために対応する表面を正確に整合させるために、靴ひもの場合と同様に多大な注意を払う必要がある。締付け動作が元々決まっているバックルは操作がもっと簡単である。しかしながら、多くのシューズ、特に、スポーツシューズにとって、バックルは除外される。何故ならば、バックルは、硬く、足の甲の上に露出して配置されているために、他のアスリートに怪我をさせる虞が大きいからである。この理由のために、例えば、バスケットボールにおいて頻繁に起こる体の接触の点から見て、バスケットシューズに硬いバックルを備えることはあり得ない。
【０００４】
さらに、多くの異なる締付け構造がスキーブーツから知られている。例えば、特許文献１には、踵から膝に向いたスキーブーツの軸に沿ってほぼふくらはぎに相当する高さに２つのレバーが互いに入り込んで配置されているシステムが開示されている。これらのレバーは、二本のケーブルを締め付ける働きをする。上側のケーブルは、ふくらはぎの区域で、前方と後方のプラスチックシェルを互いに引き寄せ、それによって、スキーブーツを閉じ、一方で、第２のケーブルは、スキーブーツの内部に設けられた押圧部材を足の方向に引き寄せて、ブーツの内側での足の相対運動を防ぐ。
【０００５】
この構造は、スキーではなく、ウォーキングやランニングに用いられる一般のシューズに転用できない。これは、一般のシューズは、スキーブーツとは異なり、歩行サイクル中に何度も行われる足の各部の互いに対する運動が妨げられないように、例えば、皮革や柔軟な合成材料から製造された軟質アッパーから構成されているからである。硬質の外側シェルを備えたスキーブーツとは対照的に、軟質アッパーを持つシューズのための締付けシステムでは、これらの足の運動を考慮しなければならない。
【特許文献１】米国特許第４６７７７６８号明細書
【発明の開示】
【発明が解決しようとする課題】
【０００６】
したがって、本発明の課題は、歩行サイクルを損なわないために必要な足の動作の自由度を制限せずに、足に容易に快適かつ迅速に固定することのできる軟質アッパーを備えたシューズを提供することにある。
【課題を解決するための手段】
【０００７】
この課題は、足を取り囲む軟質アッパーと、軟質アッパーの甲区域に配置された閉鎖パネルと、シューズの踵部分に配置された締付け部材とを備えたシューズ、特に、スポーツシューズであって、締付け部材が、締付け部材の操作により、軟質アッパーの甲区域に対して外側から閉鎖パネルを引き寄せて、シューズを足に固定するように、閉鎖パネルに接続されているシューズにより解決される。
【０００８】
シューズの踵部分に配置された締付け部材により、シューズを足に固定する単純な操作が可能となり、一方で、本発明による閉鎖パネルは引寄せ動作を接触圧力に変換する。この接触圧力は、甲区域に広く作用し、一般的なひもできつく締められたシューズの場合のように、確実であるが、局部的に柔軟性をもってシューズを足に固定する。閉鎖パネルは、本発明によれば、軟質アッパーの甲区域に対して外側から引き寄せられる。シューズが足に固定されたときでも、アッパーの軟質材料を圧縮したり伸張させたりして足の個々の部分がまだ相対的に運動することができる。さらに、圧力を分散させることによっても、アッパー材料が早まってへたれることがなくなる。従来技術の閉塞システムとは対照的に、本発明によるシューズのアッパーに作用する引張強さは大きくない。
【０００９】
締付け部材を一旦個々の足に合うように調節すると、本発明によるシューズは、単純な作用により、すなわち、締付け部材の操作により、しっかりと固定することができる。したがって、本発明のシューズは、例えば、試合の短い休憩中に足をリラックスさせたり、マッサージするために、極短時間で脱いだり履いたりすることができる。
【００１０】
閉鎖パネルは、軟質アッパーの甲区域を三次元的に取り囲むことが好ましく、ここで、閉鎖パネルは、外後部側および／または内後部側に突出し、閉鎖パネルを締付け部材に接続するように機能する側部領域を備えることが好ましい。閉鎖パネルの好ましい形状により圧力が生じ、この圧力は側部領域に分散され、それによって、足の甲の敏感な組織に局部的な圧点が生じなくなる。さらに、三次元的な取囲みにより、シューズが足に特にしっかりと固定される。これらの側部領域は、閉鎖パネル自体とは異なる材料、特に、過剰な力の下でわずかに屈曲できるわずかに弾性の材料から製造されていてもよい。
【００１１】
閉鎖パネルは、アッパーに向いた側に、履き心地を改善するための発泡層を備えていることが好ましい。
【００１２】
本発明のシューズは、閉鎖パネルを軟質アッパーの甲区域に対して引き寄せるように締付け部材を操作したときに、外後方および／または内後方に突出した閉鎖パネルの側部領域がその中をスライドできるように構成されている外側および／または内側受入部材を備えることが好ましい。受入部材は、アッパーの後部を下から取り囲むことが好ましい。それゆえ、受入部材は、足の甲区域の外側に配置された閉鎖パネルの対応部分を形成し、それによって、締付け部材を操作したときに、足が全ての側からシューズにしっかりと確実に取り囲まれる。さらに、受入部材により、足のソールとの接触が改善される。
【００１３】
閉鎖パネルが、好ましい実施の形態におけるように、外前方および／または内前方に延在する側部領域を備え、この側部領域がアッパーの足前方部分の下側および／またはシューズのソールに取り付けられている場合、シューズ構造全体がさらに安定になる。側部領域を、シューズのトウ・キャップだけに取り付けることも、トウ・キャップに加えて上述したように取り付けることも考えられる。それゆえ、締付け部材により与えられる張力は、踵領域から始まり、足前方領域にまで分散され、したがって、固定されたシューズの接触圧力を足全体に確実に均一に分散させられる。
【００１４】
締付け部材は、引張部材により閉鎖パネルに接続されていることが好ましく、この引張部材は、締付け部材から閉鎖パネルまで延在する少なくとも１本の外装ケーブルとして設けられることが好ましい。その結果、締付け部材の操作が容易になる。これは、外装ケーブルを使用することにより、引張動作が踵から甲区域上に配置された閉鎖パネルに伝達されるときの摩擦力が減少するからである。外装ケーブル以外に、様々な他の引張部材、例えば、単純なコードおよびテープ並びに微細な連結チェーンや一般の連結要素を用いてもよい。
【００１５】
好ましくは、少なくとも１本のケーブルが、シューズの両側（すなわち、外側（lateral side）と内側（medial side））において、締付け部材から閉鎖パネルまで延在する。ある実施の形態において、ケーブルは、少なくとも一部がシューズの内底の下に延在する。それゆえ、なお一層の引張負荷が閉鎖パネルに加えられる。これと同時に、ケーブルが側方に延び過ぎることがなくなり、したがって、怪我の虞が減少する。しかしながら、ケーブルをシューズの外部だけに沿って案内することも考えられる。
【００１６】
調節のために、アッパーの甲区域上への閉鎖パネルの配置を適応させるように、引張部材を異なる位置で閉鎖パネルに留め付けられることが好ましい。これにより、１つのシューズのサイズで、シューズを個々に異なる足の寸法に調節するために、締付け部材の操作により、引張動作の程度を変更することができる。
【００１７】
締付け部材は、引張部材が取り付けられ、締付けのために上方に回動できるか、または引張部材が対応して案内される場合には、締付けのために下方に回動できるレバーを持つレバー機構を備えることが好ましい。これらの実施の形態により、シューズの着用者がほとんど注意を払わないでよいほど、締付け部材の操作が特に容易になる。
【００１８】
引張部材を調節部材によりレバーに取り付けることが好ましい。調節部材により、レバーの動きにより生じる引張動作の量を調節することができる。したがって、閉鎖パネルでの引張部材の上述した異なる留付け位置に加えて、調節のためのオプションがさらに与えられる。例えば、レバーにある調節部材により微細な調節ができ、一方で、異なる留付け位置では大まかな調節ができる。
【００１９】
調節部材は、特に好ましい実施の形態において、レバーの凹部内で動かすことができ、引張部材を受容するスライド、およびその操作によりレバーの内側でスライドを移動させる、レバーに取り付けられた調節用ネジを備えている。調節用ネジは、レバーの位置に関係なく調節が行えるようにレバーに配置されていることが好ましい。これにより、解放された状態だけではなく、レバーが上方に回動されて所定位置にあるときも、張力を調節することができる。
【００２０】
したがって、シューズの着用者は、閉じる前に大まかな調節を行い、その後、締付けのためにレバーを上方に回動し、最後に、調節用ネジにより、個々の要求に必要な張力の量を正確に規定してもよい。シューズを脱ぐために、レバーを下方に回動したときに、以前に規定した調節は固定されたままである。したがって、レバーを再度回動してシューズを締め付けたときに、シューズは足に前と同じようにうまくフィットして調節された状態となる。しかしながら、レバーを操作する前に、調節用ネジにより完全な調節を同様に行ってもよい。
【００２１】
シューズの踵部分は、レバー機構を収容するための凹部を少なくとも１つ備えていることが好ましい。それゆえ、レバー機構は全くまたはわずかしか突出しないので、怪我の虞が減る。好ましくは、レバーは、例えば、高く跳んだ後の着地のときのような、強い衝撃が生じた場合、意図せずに解放されないように、踵部分の凹部内に上方に回動された位置で係止される。
【００２２】
レバーは踵部分に取外可能に取り付けられていることが好ましい。これにより、手入れ目的のため、または洗浄目的のため、もしくは、足をシューズに入れやすくするようにシューズの開口部のサイズを最大にするために、シューズからレバーを完全に分離することができる。このことは、例えば、着用するときにシューズを特に大きく広げなければならないほど非常に高い甲を持つ人にとって重要であろう。
【００２３】
本発明によるシューズのさらなる改良は、他の独立請求項の主題である。
【発明を実施するための最良の形態】
【００２４】
以下の詳細な説明において、本発明の現在好ましい実施の形態を、図面を参照してさらに詳しく説明する。
【００２５】
以下において、本発明の現在好ましい実施の形態を、バスケットシューズを参照して説明する。しかしながら、本発明は、軟質アッパーを備えた他の種類のシューズ、例えば、ランニングシューズや一般のストリートシューズとして実施できることも理解されよう。
【００２６】
図１は、本発明の現在好ましい実施の形態の分解図を示している。閉鎖パネル１０が、合成メッシュ材料または皮革などの一般的な可撓性材料から製造されたアッパー１の上に配置される。閉鎖パネル１０は、アッパー１の甲区域２の外側に配置される。しっかりと確実に接触させるために、甲区域２にわずかなへこみを設けてもよい（図１参照）。さらに、図１および２は、バスケットシューズの典型的な部材、すなわち、本底３０、ヒール・ウェッジ３１、ミッドソール３２およびトウ・キャップ３３を示している。
【００２７】
閉鎖パネル１０は、好ましくは三次元的に湾曲したＸ形（図１参照）であり、したがって、外後方、内後方、外前方、および内前方にそれぞれ延在する、突出部または延長部１１，１２を備えている。前方に延在する閉鎖パネル１０の突出部１１は、アッパー１の下部に取り付けられているか、またはシューズの本底３０を下側から取り囲む。この場合、前方に延在する外側と内側の突出部１１は、互いに連結されていてもよい。後方に延在する２つの突出部１２は、引張動作（図２の矢印参照）を閉鎖パネル１０に伝達するように働く。この引張動作は、以下に説明されているように、踵にあるレバー機構５０から始まり、外装ケーブル４０を介して突出部１２に伝達される。
【００２８】
この引張動作により、甲区域２にある閉鎖パネル１０がシューズのアッパー１およびその下に配置された足（図示せず）に対して引き寄せられ、それによって、シューズが足に締め付けられる。アッパー１は可撓性であるので、足はまだ、この実施の形態により締め付けられたシューズの内部でまだ移動できる。このことは、歩行サイクルを妨げないためにも必要であり、さらに、足の甲の敏感な組織が炎症を起こさなくなる。
【００２９】
引張動作の量が、締め付けられたシューズが足にどれだけきつくフィットとしているかを決定する。したがって、ケーブル用の収容部１３が後方に延在する突出部１２の異なる位置に配置されており、この収容部１３は凹部またはどのような種類の鳩目として設けられていてもよい。ケーブル４０の２つの前端４１を異なる収容部１３内に取り付けることにより、足の個々様々なサイズおよび甲の高さにシューズを調節することができる。特に、閉鎖パネル１０の外側と内側での接触を異ならせるために、シューズの内側で、外側とは異なる収容部１３内にケーブル４０を取り付けることも可能である。内側と外側の引張動作は、各々の側に別々のケーブル（以下を参照）を設けることにより、独立して調節することができる。
【００３０】
最後に、閉鎖パネル１０は、一般のシューズの舌皮に似た、アッパー１の甲区域２において上方に延在する別の延長部１５を備えることが好ましい。延長部１５、並びに閉鎖パネル１０の他の部分に、シューズの内部の通気をよくするために、開口部１６を設けてもよい。アッパー１に別の開口部（図示せず）を設けてもよく、必要であれば、その開口部は、開口部１６と重なっていてもよい。開口部１６のサイズと数は、シューズの使用分野による。
【００３１】
閉鎖パネル１０は、ナイロン繊維上に配置された、例えば、Ｐｅｂａｘ（登録商標）の名称で販売されているプラスチック材料などの２つの異なる材料の組合せから製造されることが好ましい。これにより、一方では、アッパー１上に必要な接触圧力が生じたときに、十分な安定性が確保され、他方では、足の甲の敏感な組織に局部的な圧点が生じなくなる。他のプラスチック材料または皮革を使用することも考えられる。
【００３２】
開示した閉鎖パネル１０に加えて、他の一般的な閉塞要素をアッパー１上に配置してもよい。図１および２は、バスケットシューズの上方に延在するアッパーの最上部を閉じる面ファスナー留め具接続６０を示している。最後に、閉鎖パネル１０および／またはアッパー１の少なくとも一部を、別の材料層（図示せず）によりさらに被覆してもよい。
【００３３】
図３は、ケーブル４０を締め付けるためのレバー機構５０の第１の好ましい実施の形態の詳細図を示す。
【００３４】
レバー５２は、このレバー機構に対応する形状を持つ踵部分３の凹部４内に軸５１により回動可能に懸架されている。したがって、レバー機構は、たとえあったとしても、踵部分３からわずかしか突出しない。スライド５３は、レバー５２の溝の内部にスライド可能に配置されている。ケーブル４０は、スライド５３の周りに案内される。レバー５２内に懸架された操作用頭部５５を上端に持つ調節用ネジ５４が、スライド５３を貫通して延在している。操作用頭部５５を回転させると、スライド５３の位置がレバー５２内で移動し、それによって、レバー５２を上方に回動したときに（図２および３において曲がった矢印を参照）、ケーブル４０の張力動作の程度が変わる。
【００３５】
閉鎖パネル１０はケーブル４０の端部４１に取り付けられており、したがって、操作用頭部５５は、シューズを足に固定するために、閉鎖パネル１０のアッパー１に対する圧力を調節することができる。好ましい実施の形態において、調節用ネジ５４はメートル・ネジから構成される。しかしながら、閉鎖パネル１０の接触圧力を特に微細に調整することが望ましい場合には、細目ネジを使用することも考えられる。
【００３６】
各々の端部４１が突出部１２に取り付けられている１本のケーブル４０の代わりに、内側と外側（図示せず）のための別々のケーブルを設けることも可能である。この場合、２つの独立した調節機構をレバー機構に配置して、内側と外側の引張動作を独立して調節することができるようにする。
【００３７】
図４の平面図および側面図は、少し変更したレバー５２を示している。図３においては、操作用頭部５５はレバー５２の湾曲した端部に配置されているが、図４の実施の形態においては、操作用頭部５５自体がレバー５２の最頂端を形成している。しかしながら、両方の実施の形態において、操作用頭部５５はレバー５２の位置には関係なく回転させることができる。したがって、着用者は、レバー５２が上方に回動されて所定の位置にあるとき、すなわち、締付け位置にあるときにも、接触圧力を調節できるであろう。操作を容易にするために、操作用頭部５５にギザギザ（図３参照）または溝（図４参照）が設けてある。
【００３８】
レバー５２は、上方に回動したとき、踵部分３の凹部４内にロックされる。この目的のために、踵部分３の対応するラッチ要素（図示せず）と相互作用する、小さなラッチ突出部または凹部５６が、図３の実施の形態ではレバー５２の端部に、図４の実施の形態では操作用頭部５５の最頂端に配置されている。
【００３９】
特に好ましい実施の形態において、レバー５２は、踵部分とは完全に分離することができる。この目的のために、軸５１は、例えば、踵部分３（図示せず）の凹部４中に取外可能に取り付けられていてもよい。これにより、ケーブル４０を完全に解放することができ、それによって、シューズの入口となる開口部を拡大することができる。何故ならば、閉鎖パネル１０を甲区域２から大きく移動させられるからである。したがって、特に高い甲または他の解剖学的特性を持つ着用者でも、より容易にシューズを着脱できる。
【００４０】
レバー機構５０および踵部分３にある凹部４は、高い機械的負荷に永久的に耐えられる高安定材料から製造されていることが好ましい。凹部４は射出成形により形成されたプラスチック材料から製造されていることが好ましく、一方で、レバー５２の部材にはアルミニウムなどの軽金属が用いられることが好ましく、この場合、ダイカストにより所望の形状が形成される。軸５１または調節用ネジ５４などの、特定の負荷にさらされる小さな部品はスチールから製造されていることが好ましい。スライド５３は、レバー５２の内側でスライドするための凹部と同様に、調節を特に容易にすることができるように、摩擦減少材料、例えば、テフロン（登録商標）の名称で販売されている材料により被覆してもよい。
【００４１】
図５から７は、シューズ内の外装ケーブル４０の配置を示している。図５の平面図から分かるように、内部にケーブル４０が配置された、摩擦を減少するための外装４５が、最初に側部から（図５の平面図および図６の断面図参照）、踵部分３においては、ミッドソール３２の下（図７の断面図参照）に延在している。
【００４２】
その結果、外装４５が、より広い区域に亘り、シューズの外側と内側の厚さを増すことがなくなる。さらに、ケーブル４０は、踵部分３の方向において、レバー機構５０による締付け操作のために、正確な位置にもってこられる。図６は、さらに、ケーブルの外装４５を、上方に延在する、ミッドソール３２および／またはヒール・ウェッジ３１および／または本底３０の材料により外側を被覆してもよいことを示している。滑らかな操作のために、ケーブル４０、並びに外装４５の内面を摩擦減少材料、例えば、「テフロン」の名称で販売されている材料により被覆することが好ましい。
【００４３】
さらに、図６および７の断面図は、図１の分解図からも分かる受入部材９０を示している。この部材は、内側と外側の領域９１に凹部９２を備え、その形状は、閉鎖パネル１０の後方に向いた突出部１２に対応している（図１および２参照）。レバー機構５０を操作したときに、突出部１２は凹部９２中に案内される。凹部９２は、突出部１２のスライド運動が土や埃により損なわれないように、受入部材９０の側部９１の内部に配置することが好ましい。受入部材９０の下に配置されたヒール・ウェッジ３１は、受入部材９０の側部領域９１に対応する側部領域の形状を有していてもよい（図１および２参照）。なお、ケーブル４０は受入部材９０の内部から（図１および２参照）、開口部（図示せず）を通って受入部材９０の外部（図６および７参照）に導かれている。
【００４４】
受入部材９０は、図６および７に示した別体の外装４５の代わりに、一体に設けられたケーブル用導管（図示せず）を備えていてもよい。これにより、受入部材９０の製造はより複雑になるが、シューズの組立ては容易になる。前記断面図は、受入部材９０はアッパー１の後方部分を取り囲み、それによって、足（図示せず）の後方部分を下から取り囲むことを示している。それゆえ、この要素は、閉鎖パネル１０の動きに関して一種の突当りを与える。閉鎖パネル１０および受入部材９０は、一緒に、アッパー１を取り囲み、アッパーを足に固定する。
【００４５】
閉鎖パネル１０と同様に、受入部材９０は、一方では、十分に安定であるために、他方では、アッパー１を通じての足への圧力が局部的とならないようにするために、２つの材料、例えば、軟質ポリウレタン（ＰＵ）および硬質ＰＵから製造することが好ましい。
【００４６】
図８および９は、図３に示したレバー機構５０を一部変更した第２の好ましい実施の形態の詳細図を示す。
【００４７】
レバー５２は、ここでも、このレバー機構に対応する形状を持つ踵部分３の凹部４内に軸５１により回動可能に懸架されている。軸５１は、異なる高さに形成された複数の軸受け部を持つ支持部材５８によりロックされた状態で支持されている。軸５１の軸受け部への取付けは、いわゆるスナップ嵌めにより行われる。レバー５２は、ケーブル４０を巻きつけるための別の軸５７も備えている。ケーブル４０の軸５７への巻きつけは、図９に示すような様式であっても、ケーブル４０をレバーに取り付けられるのであれば、他の様式で巻きつけられていてもよい。また、図８および９には、軸５７を用いたケーブル４０の取付けを示しているが、レバー５２の回動操作により、ケーブル４０を通じて引張動作を閉鎖パネル１０に伝えられる様式であれば、他のどのような取付け手段によってケーブル４０がレバー５２に取り付けられていてもよい。
【００４８】
この実施の形態においても、レバー５２を上方に回動させることにより（図８における曲がった矢印を参照）、ケーブル４０を介して、閉鎖パネル１０を締め付けることができる。ケーブル４０の張力は、軸５１を異なる高さの軸受け部に支持させることにより変えることができる。例えば、最下端の軸受け部に軸５１を支持させたときに張力が最も小さくなり、したがって、閉鎖パネル１０がシューズの甲区域に周りにゆるく締め付けられ、最上端の軸受け部に軸５１を支持させたときに張力が最も大きくなり、したがって、甲区域の周りの締付けがきつくなる。また、調節用ネジ、操作用頭部およびスライドを必要とせずに、レバー機構５０の構造を単純にしたことにより、製造と組立てが容易になり、転じて、コストが安くなるであろう。
【００４９】
軸５１は支持部材５８から簡単に取り外すことができるので（図９参照）、上述したように、シューズを履く際に開口部を大きく広げる際に都合よい。
【００５０】
支持部材５８は、凹部４と一体に形成されていても、別に形成されていてもよい。この支持部材５８は、上述したように、スナップ嵌めによりその軸受け部に軸５１を受容できるように可撓性材料から製造されていることが好ましい。支持部材５８が凹部４と一体成形される場合には、前述したように、プラスチック材料から形成される。軸５１および軸５７は共に、特定の負荷にさらされる部材であるので、スチールから製造されていることが好ましい。
【００５１】
さらに、本発明の第３の実施の形態において、第１の実施の形態に記載した調節用ネジ、スライドおよび操作用頭部を備えたレバーと、第２の実施の形態に記載した高さの異なる複数の軸受け部を持つ支持部材とを組み合わせることも考えられる。この実施の形態においては、軸受け部の高さを選択することにより、大まかな張力の調節を行い、操作用頭部を操作し調節用ネジを回転させてスライドの位置を変えることにより、張力を微調節することができる。
【図面の簡単な説明】
【００５２】
【図１】本発明の好ましい実施の形態によるシューズの分解図
【図２】レバーが上方に回動されている途中の位置に示されている図１の実施の形態の側面図
【図３】レバー機構の第１の実施の形態の詳細図
【図４】レバーの別の実施の形態の平面図と側面図
【図５】好ましい実施の形態におけるケーブルの配置を示す概略図
【図６】図５の線分Ｉ−Ｉに沿った断面図
【図７】図５の線分II−IIに沿った断面図
【図８】レバー機構の第２の実施の形態の詳細図
【図９】図８のレバー機構のレバーを取り外した状態を示す概略図
【符号の説明】
【００５３】
１    アッパー
１０    閉鎖パネル
３０    本底
３２    ミッドソール
４０    ケーブル
４５    外装
５０    レバー機構
５１，５７    軸
５２    レバー
５３    スライド
５４    調節用ネジ
５５    操作用頭部
５８    支持部材
７０    中底
９０    受入部材
【図１】
2008055196.tif 000003
【図２】
2008055196.tif 000004
【図３】
2008055196.tif 000005
【図４】
2008055196.tif 000006
【図５】
2008055196.tif 000007
【図６】
2008055196.tif 000008
【図７】
2008055196.tif 000009
【図８】
2008055196.tif 000010
【図９】
2008055196.tif 000011